(57)【要約】【課題】コネクタを支持しつつ組み付け作業の際にコネクタを可動させて所望の位置に配置することが可能な、コネクタ及びコネクタ配置部材間の可動構造を提供する。【解決手段】コネクタ支持部材２と、このコネクタ支持部材２が係合するハウジング８を有する中継コネクタ１と、コネクタ支持部材２を介して中継コネクタ１を支持しつつ所望の位置に配置することが可能なコネクタ配置部材３とを備える。コネクタ支持部材２は、係合部１４と摺動部１５とを有し、コネクタ配置部材３は、摺動部１５が摺動する支持部材摺動面１７と、中継コネクタ１が遊びを持った状態で挿通されるコネクタ挿通部２０とを有する。ハウジング８は、係合部１４が係合する被係合部１１と、コネクタ挿通部２０に挿通される被挿通部１２とを有する。【選択図】図１
2010033921.tif 000002
【特許請求の範囲】
【請求項１】
コネクタ支持部材と、該コネクタ支持部材が係合するハウジングを有するコネクタと、前記コネクタ支持部材を介して前記コネクタを支持しつつ該コネクタを所望の位置に配置するコネクタ配置部材とを備え、
前記コネクタ支持部材は、前記ハウジングの外側に係合する係合部と、該係合部から外側に突出するように連成される少なくとも二つの摺動部とを有し、
前記コネクタ配置部材は、前記摺動部が摺動する支持部材摺動面と、該支持部材摺動面に開口して前記コネクタが可動可能となる遊びを持った状態に挿通されるコネクタ挿通部とを有し、
前記ハウジングは、前記係合部が係合する被係合部と、前記コネクタ挿通部に挿通される被挿通部と、相手コネクタに対するコネクタ嵌合部とを有する
ことを特徴とするコネクタ及びコネクタ配置部材間の可動構造。
【請求項２】
請求項１に記載のコネクタ及びコネクタ配置部材間の可動構造において、
前記ハウジングの前記コネクタ嵌合部側に嵌合する嵌合部材の位置に合わせて、若しくは前記相手コネクタの位置に合わせて、前記コネクタの可動範囲を設定するとともに、該可動範囲に合わせて前記コネクタ挿通部を開口形成する
ことを特徴とするコネクタ及びコネクタ配置部材間の可動構造。
【発明の詳細な説明】
【技術分野】
【０００１】
本発明は、コネクタを可動させて所望の位置に配置するための構造に関する。
【背景技術】
【０００２】
例えばケースの内外を電気的に接続するためには、中継コネクタが用いられる。中継コネクタは、ケースを構成する壁の所定位置に挿通されてハウジング中間部分が壁（壁に形成された貫通孔）に保持されるようになっている。
【０００３】
下記特許文献１には、自動車のトランスミッションにおけるユニットケースに設けられる中継コネクタ（回転嵌合式コネクタ）に関する技術が開示されている。トランスミッションに係る中継コネクタは、ユニットケースの内側となる部分（油中側となる部分）が配線を介して油中コネクタに接続されるようになっている。一方、ユニットケースの外側となる部分（気中側となる部分）には、相手コネクタが直接、嵌合接続されるようになっている。ユニットケース内は、基板が収容されるようになっている。
【特許文献１】特開２００５−２６７９３０号公報
【発明の開示】
【発明が解決しようとする課題】
【０００４】
ユニットケース内に収容される基板に中継コネクタを固定したいという要望がある。しかしながら、固定をすることによって中継コネクタの配置が決まってしまうことから、この後の中継コネクタとユニットケースの壁（貫通孔）との組み付け性及び作業性に影響を来してしまう恐れがある。すなわち、中継コネクタと上記壁（貫通孔）との位置が仮に合ってない場合には、これらの組み付けをすることが困難になってしまうからである。また、作業時間も掛かってしまうからである。
【０００５】
本発明は、上記した事情に鑑みてなされたもので、コネクタを支持しつつ組み付け作業の際にコネクタを可動させて所望の位置に配置することが可能な、コネクタ及びコネクタ配置部材間の可動構造を提供することを課題とする。
【課題を解決するための手段】
【０００６】
上記課題を解決するためになされた請求項１記載の本発明のコネクタ及びコネクタ配置部材間の可動構造は、コネクタ支持部材と、該コネクタ支持部材が係合するハウジングを有するコネクタと、前記コネクタ支持部材を介して前記コネクタを支持しつつ該コネクタを所望の位置に配置するコネクタ配置部材とを備え、前記コネクタ支持部材は、前記ハウジングの外側に係合する係合部と、該係合部から外側に突出するように連成される少なくとも二つの摺動部とを有し、前記コネクタ配置部材は、前記摺動部が摺動する支持部材摺動面と、該支持部材摺動面に開口して前記コネクタが可動可能となる遊びを持った状態に挿通されるコネクタ挿通部とを有し、前記ハウジングは、前記係合部が係合する被係合部と、前記コネクタ挿通部に挿通される被挿通部と、相手コネクタに対するコネクタ嵌合部とを有することを特徴としている。
【０００７】
このような特徴を有する本発明によれば、コネクタ配置部材は、コネクタに係合するコネクタ支持部材を介してコネクタを支持する。コネクタは、可動可能な遊びを持った状態にコネクタ配置部材に挿通される。コネクタは、コネクタ支持部材が摺動するすることによって、上記遊びの分だけコネクタ配置部材を可動する。
【０００８】
請求項２記載の本発明のコネクタ及びコネクタ配置部材間の可動構造は、請求項１に記載のコネクタ及びコネクタ配置部材間の可動構造において、前記ハウジングの前記コネクタ嵌合部側に嵌合する嵌合部材の位置に合わせて、若しくは前記相手コネクタの位置に合わせて、前記コネクタの可動範囲を設定するとともに、該可動範囲に合わせて前記コネクタ挿通部を開口形成することを特徴としている。
【０００９】
このような特徴を有する本発明によれば、コネクタは相手コネクタの位置に合わせて、若しくは嵌合部材の位置に合わせて可動するようになる。
【発明の効果】
【００１０】
請求項１に記載された本発明によれば、コネクタを支持しつつ組み付け作業の際にコネクタを可動させて所望の位置に配置することができるという効果を奏する。本発明によれば、組み付け性や作業性の向上を図ることができるという効果を奏する。本発明は、組み付け誤差を吸収するための構造に適用することができるという効果も奏する。
【００１１】
請求項２に記載された本発明によれば、可動範囲内でコネクタを可動させることができるという効果を奏する。
【発明を実施するための最良の形態】
【００１２】
以下、図面を参照しながら説明する。図１は本発明のコネクタ及びコネクタ配置部材間の可動構造の一実施の形態を示す模式的な構成図である。また、図２はコネクタ支持部材の平面図である。
【００１３】
図１において、引用符号１は中継コネクタ（コネクタ）を示している。本発明は、中継コネクタ１のようなコネクタを矢印Ｐで示す方向等に可動させて所望の位置に配置することを可能にした可動構造に関するものである（コネクタの形態は特に限定されないものとする）。
【００１４】
また、引用符号２はコネクタ支持部材、引用符号３はコネクタ配置部材、引用符号４は基板、引用符号５はユニットケースを示している。ユニットケース５は、上ケース６と下ケース７とを備えて構成されている。ユニットケース５は、例えば自動車のトランスミッションのユニットケースであって、ケース内部が油中側、ケース外部が気中側となるようなものとなっている（一例であるものとする）。
【００１５】
上記中継コネクタ１は、絶縁性を有する合成樹脂製のハウジング８と、このハウジング８内に収容される複数の導電性を有する端子（図示省略）と、ハウジング８の外側に設けられるシール部材９とを備えて構成されている。中継コネクタ１は、本形態において、略円形の柱状に形成されている（矩形状であっても良いものとする）。
【００１６】
ハウジング８は、この中間にシール部材９を組み付けるための環状溝（符号省略）を有している。シール部材９は、ゴム製のシールリングであって、上ケース６に形成される貫通孔１０に対し密着するようになっている。シール部材９を組み付けるための環状溝の下方には、環状の溝形状となる被係合部１１が形成されている。被係合部１１は、コネクタ支持部材２が係合する部分として形成されている。ハウジング８は、被係合部１１よりも下方がコネクタ配置部材３に挿通される部分、すなわち被挿通部１２となっている。一方、ハウジング８の上側（シール部材９よりも上側）は、図示しない相手コネクタに対するコネクタ嵌合部１３となっている。中継コネクタ１は、特に図示しないが、基板４に間接的に接続されている。
【００１７】
上記コネクタ支持部材２は、剛性を有する線材を例えば図２（ａ）〜（ｃ）に示す如くの形状に加工してなる部材であって（本形態においては（ａ）〜（ｃ）のいずれかを用いている。形状は一例であるものとする）、ハウジング８の被係合部１１に係合する係合部１４と、この係合部１４から外側に突出するように連続する複数の摺動部１５と、コネクタ挿抜部１６とを有している。中継コネクタ１は、コネクタ挿抜部１６を介してコネクタ支持部材２の内部に差し込まれると、係合部１４が被係合部１１に係合するようになっている。摺動部１５は、コネクタ配置部材３を摺動する部分として、また、コネクタ配置部材３に対し引っ掛かりが生じる部分として形成されている。
【００１８】
上記コネクタ配置部材３は、上側に平坦な支持部材摺動面１７を有する固定台１８と、この固定台１８の下側に一体に形成される四つの脚部１９（数は一例であるものとする）とを有している。支持部材摺動面１７は、摺動部１５が摺動する部分として形成されている。固定台１８には、支持部材摺動面１７に開口が生じるように貫通するとともに、中継コネクタ１が可動可能となる遊びを持った状態に挿通されるコネクタ挿通部２０が形成されている。コネクタ挿通部２０は、中継コネクタ１の可動を許容する範囲の大きさで開口するように形成されている（上記貫通孔１０の位置に合わせて可動範囲が設定されるものとする）。固定台１８は、本形態において、平面視正方形状に形成されている。脚部１９は、基板４に固定されている。
【００１９】
下ケース７は、この上面が開口する有底の箱形状に形成されている。下ケース７には、基板４や、この基板４に一体になるコネクタ配置部材３や、コネクタ支持部材２を介して支持される中継コネクタ１の一部等が収容されている。
【００２０】
上ケース６は、下ケース７の上面開口を覆うような大きさの蓋状（壁状）の形状に形成されている。上ケース６の所定位置には、上記貫通孔１０が所定の大きさで貫通形成されている。
【００２１】
上記構成及び構造において、図１に示す如く、上ケース６を矢印Ｑ方向に移動させて組み付けを行う場合、中継コネクタ１を貫通孔１０の位置に合わせて可動させると（中継コネクタ１は、ハウジング８がコネクタ配置部材３のコネクタ挿通部２０に当接する範囲で可動可能である）、スムーズに組み付け作業が完了する。
【００２２】
尚、本発明の可動構造を採用しないと中継コネクタ１は可動しないことから、上ケース６の組み付けに支障を来してしまう可能性があるのは言うまでもない。
【００２３】
次に、図３ないし図５を参照しながら回転嵌合式コネクタを一例に挙げて本発明の可動構造を説明する。図３は可動構造の図であり、図３（ａ）は斜視図、図３（ｂ）底面図である。また、図４は嵌合部材を嵌合させる直前の状態を示す側面図、図５は回転嵌合式コネクタの可動範囲を示す図である。
【００２４】
以下の説明では、上記形態と基本的に同じ構成部材及び部分に同一の符号を付して説明を省略するものとする。回転嵌合式コネクタの機能や詳細な形状、回転嵌合式コネクタに接続される相手コネクタに関しては、背景技術の欄で挙げた特許文献１に開示されている。
【００２５】
図３において、引用符号３１は回転嵌合式コネクタ（中継コネクタであり特許請求の範囲に記載したコネクタに相当）を示している。回転嵌合式コネクタ３１は、コネクタ支持部材２を介してコネクタ配置部材３に可動可能に支持されている。具体的には、回転嵌合式コネクタ３１は、このハウジング３２の被挿通部１２が遊びを持った状態でコネクタ配置部材３のコネクタ挿通部２０挿通されている。また、コネクタ支持部材２は、摺動部１５が複数箇所、コネクタ配置部材３の支持部材摺動面１７を摺動するようになっている。従って、回転嵌合式コネクタ３１は、ハウジング３２がコネクタ挿通部２０に当接する範囲で可動するようになっている。
【００２６】
図４において、回転嵌合式コネクタ３１に対して矢印Ｑ方向から嵌合部材３３を嵌合させるようにする際、嵌合部材３３の貫通孔３４の位置に合わせて回転嵌合式コネクタ３１を可動させると、スムーズに組み付け作業が完了する。回転嵌合式コネクタ３１は、図５に示す如くの範囲で可動させることが可能である。
【００２７】
以上、図１ないし図５を参照しながら説明してきたように、本発明によれば、コネクタを支持しつつ組み付け作業の際にコネクタを可動させて所望の位置に配置することができるという効果を奏する。本発明によれば、組み付け性や作業性の向上を図ることができるという効果を奏する。
【００２８】
本発明は本発明の主旨を変えない範囲で種々変更実施可能なことは勿論である。
【００２９】
本発明は組み付け誤差を吸収するための構造にも適用可能である。
【図面の簡単な説明】
【００３０】
【図１】本発明のコネクタ及びコネクタ配置部材間の可動構造の一実施の形態を示す模式的な構成図である。
【図２】コネクタ支持部材の平面図である。
【図３】回転嵌合式コネクタを一例に挙げて説明する可動構造の図であり、（ａ）は斜視図、（ｂ）底面図である。
【図４】嵌合部材を嵌合させる直前の状態を示す側面図である。
【図５】回転嵌合式コネクタの可動範囲を示す図である。
【符号の説明】
【００３１】
１  中継コネクタ（コネクタ）
２  コネクタ支持部材
３  コネクタ配置部材
４  基板
５  ユニットケース
６  上ケース
７  下ケース
８  ハウジング
９  シール部材
１０  貫通孔
１１  被係合部
１２  被挿通部
１３  コネクタ嵌合部
１４  係合部
１５  摺動部
１６  コネクタ挿抜部
１７  支持部材摺動面
１８  固定台
１９  脚部
２０  コネクタ挿通部
３１  回転嵌合式コネクタ（コネクタ）
３２  ハウジング
３３  嵌合部材
３４  貫通孔
【図１】
2010033921.tif 000003
【図２】
2010033921.tif 000004
【図３】
2010033921.tif 000005
【図４】
2010033921.tif 000006
【図５】
2010033921.tif 000007